(57)【要約】【課題】二段スイッチにおいて、その物理構造を単純化し安価な二段スイッチを得ることである。【解決手段】二段スイッチ用スイッチ部品３はスイッチ素子１と静電容量測定回路２からなる。スイッチ素子は、第一絶縁性シート１１に第一パターン１３に形成された第一電極１２、第二絶縁性シート２１に第二パターン２３に形成された第二電極２２を含む。第一パターンは第一円１３１、第一リング１３２と連絡線１９からなり、連絡線が第一円と第一リングを連絡している。第二パターンは第二円２３１からなる。スイッチ素子１は、離隔部材４２を間に挟んで第一絶縁性シート１１と第二絶縁性シート２１を重ねたものである。記静電容量測定回路２は、スイッチ素子１における第一電極と第二電極間の静電容量を測定して、前記静電容量の値に対応する信号を出力する。【選択図】図１
2014017132.tif 000002
【特許請求の範囲】
【請求項１】
二段スイッチ用スイッチ部品において、
スイッチ素子と静電容量測定回路からなり、
前記スイッチ素子は、第一絶縁性シート、第一絶縁性シートの上面に導電性材料を用いて第一パターンに形成された第一電極、第二絶縁性シート、第二絶縁性シートの下面に導電性材料を用いて第二パターンに形成された第二電極を含み、
第一パターンは第一円、第一リングと連絡線からなり、第一円の中心と第一リングの中心は第一中心点であり、第一円は第一リングの空白部に位置し、第一円は第一リングと離隔していて、前記連絡線が第一円と第一リングを連絡しているパターンであり、
第二パターンは第二円からなり、第二円の中心は第二中心点であるパターンであって、
前記スイッチ素子は第一絶縁性シートと第二絶縁性シートを重ねたものであり、第一絶縁性シートの上面と第二絶縁性シートの下面が間に離隔部材を挟んで対面していて、かつ、第一中心点に立てた第一絶縁性シートの垂直線と第二中心点に立てた第二絶縁性シートの垂直線が一致していて、
前記静電容量測定回路は、前記スイッチ素子における第一電極と第二電極間の静電容量を測定して、前記静電容量の値に対応する信号を出力するものである二段スイッチ用スイッチ部品。
【請求項２】
第一絶縁性シートの下に光源を設け、
第一絶縁性シートと第二絶縁性シートは可視光透過性であり、
第一パターンは導電性材料としてカーボンナノチューブ、ＰＥＤＯＴまたは銀ナノワイヤからなり、第二パターンは導電性材料として銀ナノワイヤを用いたものである請求項１に記載した二段スイッチ用スイッチ部品。
【請求項３】
二段スイッチ用スイッチ部品において、
スイッチ素子と静電容量測定回路からなり、
前記スイッチ素子は、第一絶縁性シート、第一絶縁性シートの上面に導電性材料を用いて第三パターンに形成された第一電極、第二絶縁性シート、第二絶縁性シートの下面に導電性材料を用いて第二パターンに形成された第二電極を含み、
第三パターンは第二リング、第三リングと連絡線からなり、第二リングと第三リングは同心円状でその中心は第一中心点であり、第二リングは第三リングの空白部に位置し、第２リングと第三リングは離隔していて、前記連絡線が第二リングと第三リングを連絡しているパターンであり、
第二パターンは第二円からなり、第二円の中心は第二中心点であるパターンであって、
前記スイッチ素子は第一絶縁性シートと第二絶縁性シートを重ねたものであり、第一絶縁性シートの上面と第二絶縁性シートの下面が間に離隔部材を挟んで対面していて、かつ、第一中心点に立てた第一絶縁性シートの垂直線と第二中心点に立てた第二絶縁性シートの垂直線が一致していて、
前記静電容量測定回路は、前記スイッチ素子における第一電極と第二電極間の静電容量を測定して、前記静電容量の値に対応する信号を出力するものである二段スイッチ用スイッチ部品。
【請求項４】
第一絶縁性シートの下に光源を設け、
第一絶縁性シートと第二絶縁性シートは可視光透過性であり、
第三パターンは導電性材料としてカーボンナノチューブ、ＰＥＤＯＴまたは銀ナノワイヤからなり、第二パターンは導電性材料として銀ナノワイヤを用いたものである請求項３に記載した二段スイッチ用スイッチ部品。
【発明の詳細な説明】
【技術分野】
【０００１】
本発明は、一方向への接続動作により、２対の電極間の電気的接続が段階的に行われる二段スイッチに関するものである。
【背景技術】
【０００２】
携帯電話機、パーソナル・デジタル・アシスタント（ＰＤＡ）、デジタルカメラ、画像表示装置に代表される情報端末機器や電子機器の入力操作部には、選択画面上での項目選択後に確定入力を行ったり、焦点合わせ後に撮影をしたりする等の機能が付与されている。このような機能を備えた入力操作部としては、一つの構造体で二段階の入力を行うことが可能な二段スイッチが知られている（例えば特許文献１）。
【０００３】
上記二段スイッチの一例は、静電容量式スイッチの下方にメンブレンスイッチを配置したものである。かような二段スイッチは、対となる導電性フィルムと導電層を備え、さらに一対の基板電極を重ねた構造となるので、構造が複雑化し、製造工程が複雑化し、ひいては製造費用が高額化する欠点があった。
【先行技術文献】
【特許文献】
【０００４】
【特許文献１】特開２００６−２３６６９４号公報
【発明の概要】
【発明が解決しようとする課題】
【０００５】
解決しようとする課題は、二段スイッチにおいてその物理構造が複雑であり高価である点である。
【０００６】
本発明のその他の課題は、本発明の説明により明らかになる。
【課題を解決するための手段】
【０００７】
以下に課題を解決するための手段を述べる。理解を容易にするために、本発明の実施態様に対応する符号を付けて説明するが、本発明は当該実施態様に限定されるものではない。また、符号である数字は部品などを集合的に示す場合があり、後に説明する実施例において個別の部品などを示す場合に、当該数字のあとにアルファベットの添字を付けているものがある。
【０００８】
本発明の一の態様である二段スイッチ用スイッチ部品(3)は、
スイッチ素子(1)と静電容量測定回路(2)からなり、
前記スイッチ素子は、第一絶縁性シート(11)、第一絶縁性シートの上面に導電性材料を用いて第一パターン(13)に形成された第一電極(12)、第二絶縁性シート(21)、第二絶縁性シートの下面に導電性材料を用いて第二パターン(23)に形成された第二電極(22)を含み、
第一パターンは第一円(131)、第一リング(132)と連絡線(19)からなり、第一円の中心と第一リングの中心は第一中心点(17)であり、第一円は第一リングの空白部に位置し、第一円は第一リングと離隔していて、前記連絡線が第一円と第一リングを連絡しているパターンであり、
第二パターンは第二円(231)からなり、第二円の中心は第二中心点(27)であるパターンであって、
前記スイッチ素子は第一絶縁性シート(11)と第二絶縁性シート(21)を重ねたものであり、第一絶縁性シートの上面と第二絶縁性シートの下面が間に離隔部材(42)を挟んで対面していて、かつ、第一中心点(17)に立てた第一絶縁性シートの垂直線(18)と第二中心点(27)に立てた第二絶縁性シートの垂直線(28)が一致していて、
前記静電容量測定回路(2)は、前記スイッチ素子における第一電極と第二電極間の静電容量を測定して、前記静電容量の値に対応する信号を出力するものである。
【０００９】
本発明の好ましい実施態様にかかる二段スイッチ用スイッチ部品(3)は、
第一絶縁性シートの下に光源(43)を設け、
第一絶縁性シート(11)と第二絶縁性シート(21)は可視光透過性であり、
第一パターン(13)は導電性材料としてカーボンナノチューブ、ＰＥＤＯＴまたは銀ナノワイヤからなり、第二パターン(23)は導電性材料として銀ナノワイヤを用いたものであってもよい。
【００１０】
本発明の他の態様である二段スイッチ用スイッチ部品(3)は、
スイッチ素子(1)と静電容量測定回路(2)からなり、
前記スイッチ素子は、第一絶縁性シート(11)、第一絶縁性シートの上面に導電性材料を用いて第三パターン(15)に形成された第一電極(12)、第二絶縁性シート(21)、第二絶縁性シートの下面に導電性材料を用いて第二パターン(23)に形成された第二電極(22)を含み、
第三パターンは第二リング(151)、第三リング(152)と連絡線からなり、第二リングと第三リングは同心円状でその中心は第一中心点であり、第二リングは第三リングの空白部に位置し、第２リングと第三リングは離隔していて、前記連絡線が第二リングと第三リングを連絡しているパターンであり、
第二パターンは第二円(231)からなり、第二円の中心は第二中心点(27)であるパターンであって、
前記スイッチ素子は第一絶縁性シート(11)と第二絶縁性シート(21)を重ねたものであり、第一絶縁性シートの上面と第二絶縁性シートの下面が間に離隔部材(42)を挟んで対面していて、かつ、第一中心点(17)に立てた第一絶縁性シートの垂直線(18)と第二中心点(27)に立てた第二絶縁性シートの垂直線(28)が一致していて、
前記静電容量測定回路(2)は、前記スイッチ素子における第一電極と第二電極間の静電容量を測定して、前記静電容量の値に対応する信号を出力するものである。
【００１１】
本発明の他の好ましい実施態様にかかる二段スイッチ用スイッチ部品(3)は、
第一絶縁性シートの下に光源(43)を設け、
第一絶縁性シート(11)と第二絶縁性シート(21)は可視光透過性であり、
第三パターン(15)は導電性材料としてカーボンナノチューブ、ＰＥＤＯＴまたは銀ナノワイヤからなり、第二パターン(23)は導電性材料として銀ナノワイヤを用いたものであってもよい。
【００１２】
以上説明した本発明、本発明の好ましい実施態様、これらに含まれる構成要素は可能な限り組み合わせて実施することができる。
【発明の効果】
【００１３】
本発明によれば、パターンに形成された第一電極とパターンに形成された第二電極を積層したスイッチ素子は、操作者の指の接近距離に応じて異なる静電容量値を持ち、当該静電容量値に対応する信号を出力する二段スイッチ用スイッチ部品が得られるので、スイッチ素子の物理的構成が単純化するという利点がある。
【００１４】
このため、スイッチ部品を安価に製造することができ、また、スイッチ部品の耐久性が向上する。
【図面の簡単な説明】
【００１５】
【図１】図１は二段スイッチ用スイッチ部品を含む二段スイッチの構成図である。
【図２】図２は第一実施例にかかるスイッチ素子の電極パターンの平面図であり、図２（ａ）は第一絶縁性シート上の第一パターンの平面図であり、図２（ｂ）は第二絶縁性シート上の第二パターンの平面図である。
【図３】図３は指と操作面との間隔距離（横軸）とスイッチ素子１の静電容量値（縦軸）との関係を示す説明グラフである。
【図４】図４はスイッチ素子の静電容量を説明する説明図であり、図４（ａ）は操作面に接近物がない場合の説明図であり、図４（ｂ）は操作面に指が接近した場合の説明図である。
【図５】図５は静電容量測定回路の回路図である。
【図６】図６は静電容量測定回路の動作を示すフローチャートである。
【図７】図７は第二実施例にかかるスイッチ素子の電極パターンの平面図であり、図７（ａ）は第一絶縁性シート上の第三パターンの平面図であり、図７（ｂ）は第二絶縁性シート上の第二パターンの平面図である。
【発明を実施するための形態】
【００１６】
以下、図面を参照して本発明の実施例にかかる二段スイッチ用スイッチ部品をさらに説明する。本明細書において参照する各図は、本発明の理解を容易にするため、一部の構成要素を誇張して表すなど模式的に表しているものがある。このため、構成要素間の寸法や比率などは実物と異なっている場合がある。また、本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【実施例１】
【００１７】
図１は二段スイッチ用スイッチ部品を含むスイッチの構成図であり、図２は第一実施例にかかるスイッチ素子の電極パターンの平面図であり、図２（ａ）は第一絶縁性シート上の第一パターンの平面図であり、図２（ｂ）は第二絶縁性シート上の第二パターンの平面図である。
【００１８】
スイッチ素子１はスイッチ操作者の指の接近および押圧を検出するものである。
スイッチ素子１は、合成樹脂、アルミニウム、ステンレススチール等から構成される二段スイッチの筐体４１に第二絶縁性シート２１の上面が外部に露出して取り付けられている。スイッチ素子１は筐体４１に第一絶縁性シート１１の下面が外部に露出して取付けられていてもよい。筐体４１は外部電子機器８２の筐体と一体であってもよく、また、外部電子機器８２とは別体であってもよい。
【００１９】
二段スイッチ６は二段スイッチ用部品３と制御部８１からなる。二段スイッチ用部品３はスイッチ素子１と静電容量測定回路２からなる。スイッチ素子１は、概略、板状の２の電極が離隔部材を間に挟んで対面しているものであり、固有の静電容量値を有するものである。そして、スイッチ素子１に指が接近すれば、当該固有の静電容量値が変化する。静電容量測定回路２は、このようなスイッチ素子１の静電容量値を測定し、測定結果である静電容量値に対応する信号を制御部８１に出力する。
【００２０】
以下、スイッチ素子１と静電容量測定回路２をより詳細に説明する。
【００２１】
スイッチ素子１は第一電極１２と第二電極２２を含んでいる。第一電極１２は第一絶縁性シート１１の上面に導電性材料を用いて第一パターンに形成されている。第二電極２２は第二絶縁性シート２１の下面に導電性材料を用いて第二パターンに形成されている。
【００２２】
第一パターン１３は第一円１３１、第一リング１３２と連絡線１９からなる。第一円１３１の中心は第一中心点１７である。第一リング１３２の外側輪郭線と内側輪郭線は同心円であり、両者の円の中心は第一中心点１７である。第一円１３１は第一リング１３２の空白部に位置し、第一円は第一リングと離隔している。つまり第一リング１３２の内側輪郭線の半径は第一円１３１の境界線の半径に比較して長い。
【００２３】
第一円１３１は塗りつぶされている。第一リング１３２もまた塗りつぶされている。第一円１３１と第一リング１３２は連絡線１９で連絡されている。
【００２４】
第二パターン２３は第二円２３１からなる。第二円２３１の中心は第二中心点２７である。第二円２３１は塗りつぶされている。
【００２５】
第一リング１３２と第二円２３１の寸法比率は、特に制限はない。第一電極１２と第二電極２２間の静電容量値が指の接近により、より大きく変化するために、第一リング１３２の半径が第二円２３１の半径の１／３〜３倍の範囲にあることが好ましく、１／２〜２倍の範囲にあることがより好ましい。
【００２６】
第二円２３１は指接近または押圧位置になることを意図していて、指の腹、より好ましくは人差指の腹の大きさであることが好ましい。これを第二円２３１の寸法で表現すると、半径が５ｍｍ〜１５ｍｍが好ましい。
【００２７】
なお、スイッチ素子１は第二絶縁性シート２１の上面を指の接近面ないし押圧面とすることを意図しているけれども、第一絶縁性シート１１の下面を指の接近面ないし押圧面としてもよい。どちらを接近面にしても、第一電極１２と第二電極２２間の静電容量値の変化に理論上の差が無いからである。
【００２８】
スイッチ素子１は第一電極１２を形成した第一絶縁性シート１１と第二電極２２を形成した第二絶縁性シート２１を積層したものである。積層における面の向きは、第一絶縁性シート１１の上面と第二絶縁性シート２１の下面が対面する向きである。そして、第一絶縁性シート１１と第二絶縁性シート２１の間に離隔部材４２が挟まれている。つまり、スイッチ素子１の積層構成を述べると、下から順に、第一絶縁性シート１１、第一電極１２の層、離隔部材４２、第二電極２２の層と第二絶縁性シート２１の構成である。離隔部材４２はスペーサであり、第一電極１２と第二電極２２を接近状態、かつ非接触状態に保持するための部材である。
【００２９】
積層における相互配置は、層厚さを無視して概略を述べれば、第一中心点１７と第二中心点２７を重ねる配置である。層厚さを考慮して詳細に述べると、第一中心点１７に立てた第一絶縁性シート１１の垂直線１８と第二中心点２７に立てた第二絶縁性シート２１の垂直線２８が一致した配置である。
【００３０】
第一電極１２と第二電極２２から各々電線を引き出して、静電容量測定回路２に接続している。
【００３１】
第一絶縁性シート１１と第二絶縁性シート２１は、例えば（ポリエステル系樹脂、ポリスチレン系樹脂、オレフィン系樹脂、ポリブチレンテレフタレート系樹脂、ポリカーボネート系樹脂、アクリル系樹脂など）製である。厚さは２００μ〜３０００μｍである。
【００３２】
導電性材料は、金属ナノファイバー、カーボンナノチューブ（ＣＮＴ）、ポリエチレンジオキシチオフェン（ＰＥＤＯＴ）の微粒子、金属薄膜等が挙げられる。金属ナノファイバーとしては、金、銀、白金、銅、パラジウムなどの金属イオンを担持した前駆体表面にプローブの先端部から印加電圧又は電流を作用させ連続的にひき出して作製したものが挙げられる。金属薄膜としては、スズ、アルミニウム、鉄、銅、金、銀、ニッケルなどからなる薄膜が挙げられる。
【００３３】
電極の作製方法は、上記ナノファイバーや微粒子を適切なビヒクルと混合してインク状にし、スクリーン印刷、グラビア印刷、凸版印刷、インクジェット印刷する方法が挙げられる。また同様のインク状混合材料をコート法などでベタ塗りし、あるいは蒸着法等で金属薄膜を作製し、不要部分をエッチングで取り除く方法が挙げられる。
【００３４】
電極の層厚さは、ナノファイバーや微粒子を材料とする場合には数十ｎｍから数μｍ程度、金属薄膜の場合１０ｎｍ〜２００ｎｍが好ましい。
【００３５】
離隔部材は、一般的に使用される絶縁性樹脂を用いたものであれば使用できる。一般的に使用される絶縁性樹脂の例は、エポキシ樹脂、アクリル樹脂、フッ素樹脂である。また、離隔部材は、感光性樹脂層を設け、これを硬化させることによって得ることができる。感光性樹脂層には、通常使用されるウレタンアクリレート、シアノアクリレートなどの光硬化性樹脂を使用できる。なお、光硬化性樹脂としては、可視光、紫外光等以外の波長領域の光で硬化されるものが使用される。
【００３６】
図４を参照してスイッチ素子１の静電容量について説明する。スイッチ素子１の静電容量は人体の指４４など導電性物体が接近ないし接触すると変化する。スイッチ素子１は二つの電極である第一円１３１と第二円２３１を有している。ここで説明の容易化のために第一リング１３２は無視する。
【００３７】
図４（ａ）に示すように操作面２１１上に接近物がない場合には、電気力線は第二円２３１から第一円１３１に向かっている。操作面２１１は第二絶縁性シート２１の上面である。図４（ｂ）に示すように操作面２１１に指４４が接近すると操作面２３１側から回り込んで電極である第二円２３１から電極である第一円１３１へ向かっていた電気力線の一部が指４４に吸収される。この結果、スイッチ素子１の静電容量値が減少する。
【００３８】
また、指４４が操作面２１１に接触した状態にあっても、指４４の押圧力の相違により指４４と操作面２１１の接触面積が相違する。当該接触面積の相違はスイッチ素子１の静電容量値を変化させる。
【００３９】
図３は指と操作面との間隔距離（横軸）とスイッチ素子１の静電容量値（縦軸）との関係を示す説明グラフである。横軸に示したＤ３は電極との相互作用が生じない指と操作面間の距離を示し、Ｄ２は電極である第一円１３１との相互作用が始まる指と操作面間の距離を示し、Ｄ１は電極である第一リング１３２との相互作用が始まる指と操作面間の距離を示している。横軸に示した０は操作面２１１と指４４との接触を意味している。
【００４０】
波線５２は第二電極２２である第二円２３１の対電極が第一円１３１のみと仮定した場合の静電容量値の変化を示している。波線５２は指がＤ３からＤ２にあるときは一定値を示し、指がＤ２を越えて０に至るまで指の接近につれて静電容量値が減少する。
【００４１】
波線５３は第二電極２２である第二円２３１の対電極が第一リング１３２のみと仮定した場合の静電容量値の変化を示している。波線５３は指がＤ３からＤ１にあるときは一定値を示し、指がＤ１を越えて０に至るまで指の接近につれて静電容量値が減少する。
【００４２】
本発明にかかるスイッチ素子１にあって、第一電極１２は第一円１３１と第一リング１３２が連絡線１９により連絡している。このためスイッチ素子１の静電容量値変化は、波線５２と波線５３の和である実線５１で表すことができる。ここで連絡線１９が電極として静電容量に寄与する分は無視している。実線５１で示すスイッチ素子１の静電容量値の変化は、指４４がＤ３とＤ２間にあるとき一定であり、Ｄ２とＤ１の間にあるときは第一円１３１による減少が寄与し、Ｄ１とＯの間にあるときは第一円１３１による減少に加算して第一リング１３２による減少が寄与する。
【００４３】
ここで図３の横軸は任意に目盛ったものであり、横軸間の距離に比例関係その他の関係は無い。また図３の縦軸は任意に目盛ったものであり、縦軸間の距離に比例関係その他の関係は無い。
【００４４】
図５は静電容量測定回路２の回路図であり、図６は静電容量測定回路２の動作を示すフローチャートである。
【００４５】
静電容量測定回路２はスイッチ素子１の一方電極３６がＳＷ１を介して定電流装置３４に接続されている。またスイッチ素子１の一方電極３６はＳＷ３を介してサンプリングホールドコンデンサ３２に接続され、同時にＡＤコンバータ３１の一方入力端に接続されている。ＡＤコンバータの出力は出力端３３に出力される。装置寄生の静電容量を等価素子３５に示している。
【００４６】
フローチャートを参照して、ステップＳ１で静電容量測定動作を開始する。ステップＳ２でＳＷ１をオフ、ＳＷ２をオン、ＳＷ３をオフにしてスイッチ素子１を接地しゼロ電荷とする。ステップＳ３でＳＷをオフ、ＳＷ２をオフ、ＳＷ３をオフにする。ステップＳ４でＳＷ１をオン、ＳＷ２をオフ、ＳＷ３をオフにする。これにより定電流装置３４からスイッチ素子１への充電を開始する。
【００４７】
ステップＳ５でタイマーをスタートし、ステップＳ６で一定時間を計時する。一定時間経過後ステップＳ７でＳＷ１をオフ、ＳＷ２をオフ、ＳＷ３をオンにする。ステップＳ７でスイッチ素子１への充電を停止すると共に、スイッチ素子１に充電された電荷がサンプリングホールドコンデンサ３２に移動し、かつ、ＡＤコンバータ３１によるサンプリングホールドコンデンサ３２の電荷量のＡＤ変換が開始される。
【００４８】
ステップＳ８で一定時間を計時する。一定時間経過後ステップＳ９でＳＷ１をオフ、ＳＷ２をオフ、ＳＷ３をオフにする。これによりＡＤコンバータ３１によるＡＤ変換が終了する。変換デジタル値は出力端３３に出力される。
【００４９】
続いてステップＳ２に戻り、次の静電容量測定動作が開始される。
【００５０】
制御部８１は予め第１の敷居値（ｔｈ１）、第２の敷居値（ｔｈ２）を記憶している。外部電子機器８２は第１スイッチ回路と第２スイッチ回路を有している。
【００５１】
静電容量測定回路の連続する２回の出力値をモニターし、出力値の差△ＯＰＴを常時算出する。△ＯＰＴはスイッチ素子１の静電容量値の微分値に相当する。△ＯＰＴがｔｈ１を越えると、制御部８１は外部電子機器８２の第１スイッチ回路オンの信号を出力する。続いて、△ＯＰＴがｔｈ２を越えると制御部８１は外部電子機器８２の第２スイッチ回路オンの信号を出力する。
【００５２】
このように二段スイッチ６は動作する。制御部８１による第１スイッチ、第２スイッチへの信号出力判断は、出力端３３の微分値に加えて、△ＯＰＴの持続時間を判断するものであってもよい。
【００５３】
本発明の付加的な構成として、スイッチ素子１の下面側に光源４３を配置してもよい。スイッチ素子１の下面側とは、操作面２１１からもっとも遠い位置にある面の方向であり、また、第一絶縁性シート１１の下面側である。
【００５４】
光源４３を配置すれば、操作面２１１上における操作位置を明確に示すことができ、二段スイッチ操作の正確性の向上に寄与する。また、二段スイッチの属性表示等がより一層明瞭になる。
【００５５】
光源４３を配置するにあたっては、第一パターンの導電材料は銀ナノワイヤにすることが好ましい。銀ナノワイヤは可視光領域での光透過性に優れていて、操作面２１１から第一パターンが露見しにくいからである。第二パターンの導電材料は、カーボンナノチューブ、ＰＥＤＯＴ又は銀ナノワイヤのいずれかから選択することが好ましい。これらの導電材料は可視光領域での光透過性に優れていて、操作面２１１から第二パターンが露見しにくいからである。
【実施例２】
【００５６】
続いて実施例２を説明する。実施例１にあっては、第一電極１２は第一絶縁性シート１１の上面に導電性材料を用いて第一パターンに形成されている。これに対して、実施例２にあっては、第一電極１２は第一絶縁性シート１１の上面に導電性材料を用いて第三パターンに形成されている。このように、第一電極のパターンが、第一パターンであるか（実施例１）、第三パターンであるか（実施例２）のみが相違し残余の点は全て同じである。このため、相違点である第三パターンのみを説明する。
【００５７】
図７は第二実施例にかかるスイッチ素子の電極パターンの平面図であり、図７（ａ）は第一絶縁性シート上の第三パターンの平面図であり、図７（ｂ）は第二絶縁性シート上の第二パターンの平面図である。
【００５８】
第三パターン１５は第二リング１５１、第三リング１５２と連絡線１９からなる。第二リング１５１の外側輪郭線と内側輪郭線は同心円であり、両者の円の中心は第一中心点１７である。第三リング１５２の外側輪郭線と内側輪郭線は同心円であり、両者の円の中心は第一中心点１７である。
【００５９】
第二リング１５１は第三リング１５２の空白部に位置し、第二リング１５１は第三リング１５２と離隔している。つまり第三リング１５２の内側輪郭線の半径は、第二リング１５１の外側輪郭線の半径に比較して長い。
【００６０】
第二リング１５１は塗りつぶされている。第三リング１５２もまた塗りつぶされている。第二リング１５１と第三リング１５２は連絡線１９で連絡されている。
【００６１】
本発明は種々に変更して実施が可能である。本発明の発明特定事項を含む限り、変更実施も本発明の技術範囲に含まれる。特に、本発明の二段スイッチ用部品を含む三段以上の多段スイッチは本発明の技術範囲に含まれる
【符号の説明】
【００６２】
１    スイッチ素子
２    静電容量測定回路
３    二段スイッチ用部品
６    二段スイッチ
１１    第一絶縁性シート
１２    第一電極
１３    第一パターン
１５    第三パターン
１７    第一中心点
１８    垂直線
１９    連絡線
２１    第二絶縁性シート
２２    第二電極
２３    第二パターン
２７    第二中心点
２８    垂直線
３１    ＡＤコンバータ
３２    サンプリングホールドコンデンサ
３３    出力端
３４    定電流装置
３５    寄生容量コンデンサ（等価素子）
４１    筐体
４２    離隔部材
４３    光源
４４    指
５１    スイッチ素子の静電容量
８１    制御部
８２    外部電子機器
１３１    第一円
１３２    第一リング
１５１    第二リング
１５２    第三リング
２１１    操作面
２３１    第二円
【図１】
2014017132.tif 000003
【図２】
2014017132.tif 000004
【図３】
2014017132.tif 000005
【図４】
2014017132.tif 000006
【図５】
2014017132.tif 000007
【図６】
2014017132.tif 000008
【図７】
2014017132.tif 000009